(57)【要約】      （修正有）【課題】Ｃアームカバーなどによる被覆を安価に、しかも迅速に行うことができる医療器具用カバーを提供する。【解決手段】医療器具被覆用の第一フイルム２とこの第一フイルム２よりも大形の保護用の第二フイルム３とからなっており、かつ両フイルム２、３の間は所望の間隔をおいて粘着テープ４で着脱自在に粘着されており、さらに第一フイルム２の下面には、医療器具に着脱自在な粘着テープ５が粘着されていて、内側に折りたたまれて、第二フイルム３の外面に着脱自在に粘着されている。【選択図】図２
0003197939.tif 000002
【実用新案登録請求の範囲】
【請求項１】
医療器具被覆用の第一フイルムとこのフイルムよりも大形の保護用の第二フイルムとからなっており、かつ前記第一フイルムと第二フイルムとの間は所望の間隔をおいて粘着テープで着脱自在に粘着されており、さらに第一フイルムの下面には、医療器具に着脱自在に粘着可能な粘着テープが所望の間隔をおいて粘着されていて、第一フイルムは粘着テープが露出しないように第二フイルムとともに内側に折りたたまれて、第二フイルムの外面に着脱自在に粘着されていることを特徴とする医療器具用カバー。
【請求項２】
前記第一フイルムと第二フイルムは、透明であり、かつ第一フイルム下面の粘着テープは着色されていることを特徴とする請求項１記載の医療器具用カバー。
【考案の詳細な説明】
【技術分野】
【０００１】  本考案は、医療器具用カバーに関するものである。
【背景技術】
【０００２】  医療機器には、各種のものが開発、使用されているが、例えば、患者の検査用Ｘ線機器として、Ｃ型アーム（Ｃアーム）などの医療器具が有効に汎用されている。しかし、患者の検査に使用されるため、患者からの体液を受けて汚染されて、清浄な状態を維持できなかったり、Ｃアームに付着している汚れや細菌などが術場に飛散するなどの致命的な問題点を有している。そこで、医療器具をこれらの問題を防止するために予めカバーで被覆することが実施されているが、このカバーの被覆は安価に、しかも迅速に行う必要がある。【０００３】  従来の医療器具用カバーとしては、例えば  特許文献１に記載のＣアーム用ドレープを例示することができるが、清浄な状態を維持するという点では、優れているが、操作が煩雑であり、医療器具用ドレープでの被覆を安価に、しかも迅速に行うことができないという致命的な結果がある。
【先行技術文献】
【０００４】
【特許文献１】  特表２０１３−５０２２８６号公報
【０００５】
【考案の概要】
【考案が解決しようとする課題】
【０００６】  本考案は、かかる現状に鑑み、医療器具用カバーでの被覆を安価に、しかも迅速に行うことができる医療器具用カバーの提供を目的とするものである。
【課題を解決するための手段】
【０００７】  本考案は、上記目的を達成するものであって、医療器具被覆用の第一フイルムとこのフイルムよりも大形の保護用の第二フイルムとからなっており、かつ前記第一フイルムと第二フイルムとの間は所望の間隔をおいて複数の粘着テープで着脱自在に粘着されており、さらに第一フイルムの下面には、医療器具に着脱自在に粘着可能な複数の粘着テープが所望の間隔をおいて粘着されていて、第一フイルムは粘着テープが露出しないように第二フイルムとともに内側に折りたたまれて、第二フイルムの外面に着脱自在に粘着されていることを特徴とする医療器具用カバーである。なお、前記第一フイルムと第二フイルムは、透明であり、かつ第一フイルム下面の粘着テープは着色されていることが望ましい。
【考案の効果】
【０００８】  本考案の医療器具用カバーでは、医療器具被覆用の第一フイルムは、大形の第二フイルムから保護されているので、第一フイルムの位置決めを第二フイルムの外面から触れることによって、検査機器のＣアームなどの医療器具に容易に取り付けることが可能である。しかも、第一フイルムは、その下面に配置した粘着テープが露出しないように第二フイルムとともに内側に折りたたまれているので、使用前には粘着テープは露出することがなく、第二フイルムに粘着されているので、安全に保管することが可能であり、順次折り畳みを解除することによって、第一フイルムの下面の粘着テープは露出するので、迅速にＣアームなどの医療器具に取り付けが可能である。【０００９】  しかも、第二フイルムは、粘着テープで第一フイルムに着脱自在に粘着されているので、第一フイルムをＣアームなどの医療器具に取り付けたのちには、第一フイルムから迅速に取り外すことが可能であり、これにより、操作時に作業員の触れた第二フイルムを除去して、全く作業員の触れなかった清浄な第一フイルムを露出することが可能である。すなわち、汚染されていない清潔者がセットしても、汚染されている不清潔者がセットしても、清浄な第一フイルムを露出することができるのである。
【図面の簡単な説明】
【００１０】
【図１】  本考案の医療器具用カバーの一実施態様を示す底面図である。
【図２】  本考案の医療器具用カバーの折り畳み状態の一実施態様を示す底面図である。
【考案を実施するための形態】
【００１１】  以下、図面に基づいて本考案の実施態様を詳細に説明する。
図１，図２において、１は本考案の医療器具用カバーであって、該医療器具用カバー１は医療器具被覆用の第一フイルム２とこのフイルムよりも大形の保護用の第二フイルム３とからなっている。第一フイルム２は、Ｃアームなどの医療器具を被覆するためのものであって、その形状は、略長方形状であるが、被覆する機器がこれ以外のものの場合には、その形状に適合する形状である事が望ましい。第二フイルム３の形状は、第一フイルム２を保護するものであって、長手方向、巾方向にともに長いことが望ましい。
【００１２】  第一フイルム２と第二フイルム３との間は所望の間隔をおいて粘着テープ４で着脱自在に粘着されている。粘着テープ４は、第一フイルム２と第二フイルム３との間を安定に維持するためのものであり、複数であることが望ましい。しかし、第一フイルムをＣアームなどの医療器具に取り付けるまで安定に維持されていれば、良いので、コスト、取り外しの迅速性を考慮して適度の個数や適度の粘着力とすることが望ましい。なお、第二フイルム３は、容易に、また清潔に取り外せるようにミシン目などの切れ目を付けておくことも可能であり、実用上、便利である。
【００１３】  さらに、第一フイルム２の下面には、Ｃアームなどの医療器具に着脱自在に粘着可能な粘着テープ５が所望の間隔をおいて粘着されているが、この粘着テープ５は、Ｃアームなどの医療器具に医療器具用カバー１を安定に取り付ける必要があり、比較的多数の個数や適度の大きな粘着力とすることが望ましい。
このためには、長手方向に例えば所望の個数を配置するとともに、巾方向においても端部近傍に限らず、中央にも必要に応じて配置することが望ましい。なお、上記の粘着テープ４，５には、両面テープを使用しても良く、その場合には、両面の粘着の強度を変えて所望の剥離が行えるようにすることが望ましい。
【００１４】  なお、第一フイルム２の下面に配置する粘着テープ５は、図１の状態では、露出しているので、露出しないように第二フイルム３とともに、図２の折り畳み部７のように、内側に折りたたまれて、第二フイルム３の外面に着脱自在に粘着されていることが必要である。
【００１５】  上記の第一フイルム２と第二フイルム３は、透明であれば、下面に配置した粘着テープ５の位置やＣアームなどの医療器具の状態が分かりやすく、操作が容易であり、迅速な作業が可能であるが、必ずしも透明でなくても、透視可能であれば、良いことは、当然である。また、粘着テープ５は、その位置を第二フイルム３を通して識別するために青色などに着色されていることが望ましいが、これに限らない。
【００１６】  なお、第一フイルム２の端部には、図１に示したように、Ｃアームなどの医療器具に安定に粘着するために端部両面粘着テープ６を設けておくことが望ましく、不要の粘着を防止するための台紙を貼り付けておき、使用のさいに迅速にＣアームなどの医療器具に粘着することが望ましい。
【符号の説明】
【００１７】  １    医療器具用カバー
２    第一フイルム
３    第二フイルム
４    粘着テープ
５    粘着テープ
６    端部両面粘着テープ
７    折り畳み部
【図１】
0003197939.tif 000003
【図２】
0003197939.tif 000004